【手続補正書】
【提出日】平成20年7月18日(2008.7.18)
【手続補正１】
【補正対象書類名】明細書
【補正対象項目名】特許請求の範囲
【補正方法】変更
【補正の内容】
【特許請求の範囲】
【請求項１】  部分的に中和されたカルボキシル基含有モノマーを重合し場合によっては予備架橋してなるものから合成され、表面で後架橋された水または水性液体吸収性の粉末状ポリマーであって、前記後架橋後に少なくとも三価の陽イオンの少なくとも１種の塩の溶液と反応させられたことを特徴とする上記粉末状ポリマー。
【請求項２】  請求項１に記載の粉末状ポリマーであって、前記陽イオンがアルミニウム陽イオン、鉄陽イオンおよび／またはマンガン陽イオンの少なくとも１種であることを特徴とする上記粉末状ポリマー。
【請求項３】  請求項１または２に記載の粉末状ポリマーであって、前記陽イオンが該ポリマーに対して、０．００１〜１重量％、好ましくは０．００２〜０．５重量％、特に好ましくは０．００５〜０．２重量％の量で使用されることを特徴とする上記粉末状ポリマー。
【請求項４】  請求項１〜３の一項に記載の粉末状ポリマーであって、前記の反応前に１０重量％未満、好ましくは８重量％未満、特に好ましくは５重量％未満の含水量を有することを特徴とする上記粉末状ポリマー。
【請求項５】  請求項１〜４の一項に記載の粉末状ポリマーであって、前記の反応中にポリマー粉末の含水量が０．０５〜１０重量％、好ましくは０．１〜５重量％、特に好ましくは０．１〜３重量％増大することを特徴とする上記粉末状ポリマー。
【請求項６】  請求項１〜５の一項に記載の粉末状ポリマーであって、前記の反応前に１５０μｍ未満の粒子分画が１５重量％未満、好ましくは８重量％未満、特に好ましくは５重量％未満であることを特徴とする上記粉末状ポリマー。
【請求項７】  請求項１〜６の一項に記載の粉末状ポリマーであって、前記カルボキシル基の２５〜８５％が中和されていることを特徴とする上記粉末状ポリマー。
【請求項８】  請求項１〜７の一項に記載の粉末状ポリマーであって、コモノマーおよび／またはグラフト・ポリマーをさらに含むことを特徴とする上記粉末状ポリマー。
【請求項９】  表面で後架橋され、水または水性の液体を吸収する、請求項１〜８の一項に記載の粉末状ポリマーを製造する方法であって、少なくとも三価の陽イオンの少なくとも１種の塩の溶液を後架橋後に該粉末状ポリマーに加え、該粉末状ポリマーと該溶液とを好ましくは十分に均質に混合することを特徴とする上記方法。
【請求項１０】  請求項９に記載の方法であって、前記後処理中のポリマー粉末の温度が０℃〜１００℃、好ましくは１０℃〜８０℃、特に好ましくは２０℃〜５０℃であることを特徴とする上記方法。
【請求項１１】  請求項９または１０に記載の方法であって、７００〜１０００ｒ．ｐ．ｍ．の回転速度で作動する攪拌機によって十分な混合を行うことを特徴とする上記方法。
【請求項１２】  請求項９〜１１の一項に記載の方法によって得られる、水または水性の液体を吸収する粉末状ポリマー。
【請求項１３】  請求項１〜８および請求項１２の一項に記載の粉末状ポリマーの、液体、特に水および水性の液体用の吸収剤としての使用。
【請求項１４】  水または水性の液体の吸収性を有し、機械的作用によって損傷を受けた粉末状ポリマーであって、部分的に中和されたカルボキシル基を含有するモノマーを重合し場合によっては予備架橋して合成された前記ポリマーのゲル透過性を回復させるための、少なくとも三価の陽イオンの少なくとも１種の塩の溶液の使用において、該塩溶液を後架橋後に前記粉末状ポリマーに加え、前記粉末状ポリマーと前記溶液を十分混合することを特徴とする前記塩溶液の使用。
【請求項１５】  請求項１４に記載の使用であって、少なくとも１種のアルミニウム陽イオン、鉄陽イオンおよび／またはマンガン陽イオンを前記陽イオンとして使用することを特徴とする上記使用。
【請求項１６】  請求項１４または１５に記載の使用であって、前記ポリマー粉末中の前記陽イオンの分画が０．００１〜１重量％、好ましくは０．００２〜０．５重量％、特に好ましくは０．００５〜０．２重量％であることを特徴とする上記使用。
【請求項１７】  請求項１４〜１６の一項に記載の使用であって、前記溶液を加える前に前記ポリマー粉末が１０重量％未満、好ましくは８重量％未満、特に好ましくは５重量％未満の含水量を有することを特徴とする上記使用。
【請求項１８】  請求項１４〜１７の一項に記載の使用であって、後処理中に前記ポリマー粉末の含水量が該ポリマー粉末に対して０．０５〜１０重量％、好ましくは０．１〜５重量％、特に好ましくは０．１〜３重量％増大することを特徴とする上記使用。
【請求項１９】  請求項１４〜１８の一項に記載の使用であって、後処理前に１５０μｍ未満の粒子分画が１５重量％未満、好ましくは８重量％未満、特に好ましくは５重量％未満であることを特徴とする上記使用。
【請求項２０】  請求項１４〜１９の一項に記載の使用であって、前記カルボキシル基の２５〜８５％が中和されていることを特徴とする上記使用。
【請求項２１】  請求項１４〜２０の一項に記載の使用であって、前記ポリマーがコモノマーおよび／またはグラフト・ポリマーをさらに含むことを特徴とする上記使用。
【請求項２２】  請求項１４〜２１の一項に記載の使用であって、前記溶液を加える前の前記ポリマー粉末の温度が０℃〜１００℃、好ましくは１０℃〜８０℃、特に好ましくは２０℃〜５０℃であることを特徴とする上記使用。
【請求項２３】  請求項１４〜２２の一項に記載の使用であって、７００〜１０００ｒ．ｐ．ｍ．の回転速度で作動する攪拌機によって前記の十分な混合を行うことを特徴とする上記使用。
【請求項２４】  請求項１〜８に記載のポリマー、または請求項９〜１１に記載の方法によって製造されたポリマーの、好ましくは体液を吸収するための構造体、フォーム状および非フォーム状の二次元構造体、パッケージ材料、植物の生育における、水性液体の吸収剤としての、および土壌改良材としての使用。
【請求項２５】  請求項１〜８の一項に記載のポリマー、または請求項９〜１１に記載の方法によって製造されたポリマーの、衛生用品、特におむつまたはタンポン中での使用。
【請求項２６】  請求項１〜８の一項に記載のポリマー、または請求項９〜１１に記載の方法によって製造されたポリマーの、活性成分、特に肥料、または場合によっては遅延形で放出されてもよい他の活性成分のための担体物質および／または安定剤としての使用。
【請求項２７】  請求項１〜８の一項に記載のポリマー、または請求項９〜１１に記載の方法によって製造されたポリマーを含む衛生用品、特におむつ。
【手続補正２】
【補正対象書類名】明細書
【補正対象項目名】００１１
【補正方法】変更
【補正の内容】
【００１１】
この目的は、本発明によると、
［１］：部分的に中和されたカルボキシル基含有モノマーを重合し場合によっては予備架橋してなるものから合成され、表面で後架橋された水または水性液体吸収性の粉末状ポリマーであって、前記後架橋後に少なくとも三価の陽イオンの少なくとも１種の塩の溶液、好ましくは水溶液、と反応させられた上記粉末状ポリマーにより達成される。
本発明の上記粉末状ポリマーの実施形態、ならびに、その製造方法、及びその使用をそれらの実施形態とともに以下に記載する。
［２］：上記［１］に記載の粉末状ポリマーであって、前記陽イオンがアルミニウム陽イオン、鉄陽イオンおよび／またはマンガン陽イオンの少なくとも１種である粉末状ポリマーが提供される。
［３］：上記［１］または［２］に記載の粉末状ポリマーであって、前記陽イオンが該ポリマーに対して、０．００１〜１重量％、好ましくは０．００２〜０．５重量％、特に好ましくは０．００５〜０．２重量％の量で使用される粉末状ポリマーが提供される。
［４］：上記［１］〜［３］の一つに記載の粉末状ポリマーであって、前記の反応前に１０重量％未満、好ましくは８重量％未満、特に好ましくは５重量％未満の含水量を有する粉末状ポリマーが提供される。
［５］：上記［１］〜［４］の１つに記載の粉末状ポリマーであって、前記の反応中にポリマー粉末の含水量が０．０５〜１０重量％、好ましくは０．１〜５重量％、特に好ましくは０．１〜３重量％増大する粉末状ポリマーが提供される。
［６］：上記［１］〜［５］の１つに記載の粉末状ポリマーであって、前記の反応前に１５０μｍ未満の粒子分画が１５重量％未満、好ましくは８重量％未満、特に好ましくは５重量％未満である粉末状ポリマーが提供される。
［７］：上記［１］〜［６］の１つに記載の粉末状ポリマーであって、前記カルボキシル基の２５〜８５％が中和されている粉末状ポリマーが提供される。
［８］：上記［１］〜［７］の１つに記載の粉末状ポリマーであって、コモノマーおよび／またはグラフト・ポリマーをさらに含む粉末状ポリマーが提供される。
［９］：表面で後架橋され、水または水性の液体を吸収する、上記［１］〜［８］の１つに記載の粉末状ポリマーを製造する方法であって、少なくとも三価の陽イオンの少なくとも１種の塩の溶液を後架橋後に該粉末状ポリマーに加え、該粉末状ポリマーと該溶液とを好ましくは十分に均質に混合する方法が提供される。
［１０］：上記［９］に記載の方法であって、前記後処理中のポリマー粉末の温度が０℃〜１００℃、好ましくは１０℃〜８０℃、特に好ましくは２０℃〜５０℃である方法が提供される。
［１１］：上記［９］または［１０］に記載の方法であって、７００〜１０００ｒ．ｐ．ｍ．の回転速度で作動する攪拌機によって十分な混合を行う方法が提供される。
［１２］：上記［９］〜［１１］の１つに記載の方法によって得られる、水または水性の液体を吸収する粉末状ポリマーが提供される。
［１３］：上記［１］〜［８］および上記［１２］の１つに記載の粉末状ポリマーの、液体、特に水および水性の液体用の吸収剤としての使用が提供される。
［１４］：水または水性の液体の吸収性を有し、機械的作用によって損傷を受けた粉末状ポリマーであって、部分的に中和されたカルボキシル基を含有するモノマーを重合し場合によっては予備架橋して合成された前記ポリマーのゲル透過性を回復させるための、少なくとも三価の陽イオンの少なくとも１種の塩の溶液の使用において、該塩溶液を後架橋後に前記粉末状ポリマーに加え、前記粉末状ポリマーと前記溶液を十分混合する前記塩溶液の使用が提供される。
［１５］：上記［１４］に記載の使用であって、少なくとも１種のアルミニウム陽イオン、鉄陽イオンおよび／またはマンガン陽イオンを前記陽イオンとして使用する使用が提供される。
［１６］：上記［１４］または［１５］に記載の使用であって、前記ポリマー粉末中の前記陽イオンの分画が０．００１〜１重量％、好ましくは０．００２〜０．５重量％、特に好ましくは０．００５〜０．２重量％である使用が提供される。
［１７］：上記［１４］〜［１６］の１つに記載の使用であって、前記溶液を加える前に前記ポリマー粉末が１０重量％未満、好ましくは８重量％未満、特に好ましくは５重量％未満の含水量を有する使用が提供される。
［１８］：上記［１４］〜［１７］の１つに記載の使用であって、後処理中に前記ポリマー粉末の含水量が該ポリマー粉末に対して０．０５〜１０重量％、好ましくは０．１〜５重量％、特に好ましくは０．１〜３重量％増大する使用が提供される。
［１９］：上記［１４］〜［１８］の１つに記載の使用であって、後処理前に１５０μｍ未満の粒子分画が１５重量％未満、好ましくは８重量％未満、特に好ましくは５重量％未満である使用が提供される。
［２０］：上記［１４］〜［１９］の１つに記載の使用であって、前記カルボキシル基の２５〜８５％が中和されている使用が提供される。
［２１］：上記［１４］〜［２０］の１つに記載の使用であって、前記ポリマーがコモノマーおよび／またはグラフト・ポリマーをさらに含む使用が提供される。
［２２］：上記［１４］〜［２１］の１つに記載の使用であって、前記溶液を加える前の前記ポリマー粉末の温度が０℃〜１００℃、好ましくは１０℃〜８０℃、特に好ましくは２０℃〜５０℃である使用が提供される。
［２３］：上記［１４］〜［２２］の１つに記載の使用であって、７００〜１０００ｒ．ｐ．ｍ．の回転速度で作動する攪拌機によって前記の十分な混合を行う使用が提供される。
［２４］：上記［１］〜［８］に記載のポリマー、または上記［９］〜［１１］に記載の方法によって製造されたポリマーの、好ましくは体液を吸収するための構造体、フォーム状および非フォーム状の二次元構造体、パッケージ材料、植物の生育における、水性液体の吸収剤としての、および土壌改良材としての使用が提供される。
［２５］：上記［１］〜［８］の１つに記載のポリマー、または上記［９］〜［１１］に記載の方法によって製造されたポリマーの、衛生用品、特におむつまたはタンポン中での使用が提供される。
［２６］：上記［１］〜［８］の１つに記載のポリマー、または上記［９］〜［１１］に記載の方法によって製造されたポリマーの、活性成分、特に肥料、または場合によっては遅延形で放出されてもよい他の活性成分のための担体物質および／または安定剤としての使用が提供される。
［２７］：上記［１］〜［８］の１つに記載のポリマー、または上記［９］〜［１１］に記載の方法によって製造されたポリマーを含む衛生用品、特におむつが提供される。